(57)【要約】【課題】表示装置の動作不良や故障等が防止された表示装置付き透明板を提供すること。【解決手段】透明板と、前面の画像表示部が透明充填材を介して前記透明板に当接する表示装置と、通気孔を備え、前記表示装置の背面を覆うカバーと、を有する表示装置付き透明板。【選択図】図１
2016042119.tif 000002
【特許請求の範囲】
【請求項１】
透明板と、
前面の画像表示部が透明充填材を介して前記透明板に当接する表示装置と、
通気孔を備え、前記表示装置の背面を覆うカバーと、を有する
ことを特徴とする表示装置付き透明板。
【請求項２】
前記カバーは、一面が開口とされた矩形箱型の形状を有し、少なくとも対向する一対の側面のそれぞれに前記通気孔が１つ以上形成されている
ことを特徴とする請求項１に記載の表示装置付き透明板。
【請求項３】
前記通気孔は、短手方向の長さが１ｍｍ以下である
ことを特徴とする請求項１又は２に記載の表示装置付き透明板。
【請求項４】
前記カバーは、アルミニウム又はアルミニウム合金で形成されている
ことを特徴とする請求項１から３の何れか一項に記載の表示装置付き透明板。
【請求項５】
前記カバーの内部にファンを有する
ことを特徴とする請求項１から４の何れか一項に記載の表示装置付き透明板。
【請求項６】
前記透明板は、少なくとも前記画像表示部の外周縁及び前記表示装置の外周縁を含む領域に設けられ、前記表示装置側の面に着色層が形成された遮光部を有する
ことを特徴とする請求項１から５の何れか一項に記載の表示装置付き透明板。
【請求項７】
前記カバーを固定支持する支持部材を有する
ことを特徴とする請求項１から６の何れか一項に記載の表示装置付き透明板。
【請求項８】
前記支持部材は、前記透明板に接着剤により接合されている
ことを特徴とする請求項７に記載の表示装置付き透明板。
【請求項９】
前記支持部材は、前記カバーを吊り下げて支持する
ことを特徴とする請求項７に記載の表示装置付き透明板。
【請求項１０】
前記表示装置は、液晶パネルと、バックライトとを有し、
前記バックライトは、前記カバーに固定されている
ことを特徴とする請求項１から９の何れか一項に記載の表示装置付き透明板。
【請求項１１】
前記液晶パネルは、前記透明充填材により前記透明板に接合されている
ことを特徴とする請求項１０に記載の表示装置付き透明板。
【請求項１２】
前記液晶パネルは、前記カバーに固定されている
ことを特徴とする請求項１０に記載の表示装置付き透明板。
【発明の詳細な説明】
【技術分野】
【０００１】
本発明は、表示装置付き透明板に関する。
【背景技術】
【０００２】
例えば窓ガラスに液晶ディスプレイ等の表示装置が取り付けられた表示装置付き窓ガラスが知られている（例えば、特許文献１参照）。
【先行技術文献】
【特許文献】
【０００３】
【特許文献１】特開２００６−１３２２０６号公報
【発明の概要】
【発明が解決しようとする課題】
【０００４】
上記した表示装置付き窓ガラスでは、表示装置の基板や配線等が露出しないように、表示装置の背面側を覆うカバーが設けられていることが好ましい。しかし、表示装置により加熱された空気がカバー内に籠もり、カバー内が高温になる場合がある。このような高温環境下で使用されることで、表示装置の動作不良や故障等が発生する可能性がある。
【０００５】
また、表示装置が、液晶パネル及びバックライトを含む液晶ディスプレイ装置の場合、バックライトの重量が液晶パネルの重量に比べて大きいため、窓ガラスに取り付ける場合にはバックライトを確実に固定する必要がある。
【０００６】
本発明は上記に鑑みてなされたものであって、表示装置の動作不良や故障等が防止された表示装置付き透明板を提供することを目的とする。
【課題を解決するための手段】
【０００７】
本発明の一態様の表示装置付き透明板によれば、透明板と、前面の画像表示部が透明充填材を介して前記透明板に当接する表示装置と、通気孔を備え、前記表示装置の背面を覆うカバーと、を有する。
【発明の効果】
【０００８】
本発明の実施形態によれば、表示装置の動作不良や故障等が防止された表示装置付き透明板が提供される。
【図面の簡単な説明】
【０００９】
【図１】実施形態における表示装置付き透明板を例示する図である。
【図２】図１のＡ−Ａ断面概略図である。
【図３】実施形態における表示装置付き透明板を例示する断面概略図である。
【図４】実施形態における表示装置付き透明板を例示する背面斜視図である。
【発明を実施するための形態】
【００１０】
以下、図面を参照して発明を実施するための形態について説明する。各図面において、同一構成部分には同一符号を付し、重複した説明を省略する場合がある。
【００１１】
＜表示装置付き透明板＞
図１は、実施形態における表示装置付き透明板１００を例示する図である。また、図２は、図１のＡ−Ａ断面概略図である。
【００１２】
表示装置付き透明板１００は、図１及び図２に示すように、遮光部２を備える透明板１０、表示装置３０、カバー４０を有する。なお、以下において、透明板１０の表示装置３０側の面を背面、透明板１０の表示装置３０とは反対側の面を前面として説明する。また、Ｘ方向は、表示装置付き透明板１００の短手方向、Ｙ方向は長手方向、Ｚ方向は厚さ方向である。
【００１３】
（透明板）
透明板１０は、例えばソーダライムガラス、アルミノシリケートガラス、アルミノボロシリケートガラス、無アルカリガラス等の無機ガラス、もしくはポリカーボネート樹脂、アクリル樹脂等からなる有機ガラス等である。また、透明板１０は、複数のガラス板が貼り合わされた合わせガラスであってもよい。
【００１４】
透明板１０が無機ガラスである場合には、例えば化学強化処理又は物理強化処理等の表面強化処理が施されていてもよい。
【００１５】
また、透明板１０の前面には、機能膜が設けられてもよい。機能膜としては、例えばシリケートや金属酸化物の薄膜や類似の薄膜が形成されたフィルム等からなる反射防止膜が挙げられる。反射防止膜は、例えばスパッタリング法、蒸着法、湿式コーティング法等により、透明板１０の表面に直接形成されてもよく、上記したフィルムが貼り付けられることで形成されてもよい。このような反射防止膜によって反射が抑制され、外部から表示装置３０に表示される画像をより鮮明に見ることが可能になる。
【００１６】
また、機能膜としては、フッ素樹脂やシリコーン樹脂等の樹脂薄膜が蒸着や粘着層等を介して透明板１０の表面に形成された、防汚・撥水・撥油機能膜等であってもよい。特に最外層にフッ素樹脂を有する機能膜は、透明板１０に防汚性能や易清浄性を付与できるため好ましい。
【００１７】
なお、本実施形態における透明板１０は矩形であるが、矩形以外の任意の形状であってもよい。
【００１８】
（表示装置）
透明板１０の背面には、表示装置３０が設けられている。本実施形態における表示装置３０は液晶ディスプレイ装置であるが、例えば有機ＥＬディスプレイ装置、プラズマディスプレイ装置等であってもよい。表示装置３０は、例えば不図示の記憶装置に記憶されている画像や、ネットワークを介して接続するコンピュータやサーバ等から送信される画像を表示する。
【００１９】
表示装置３０は、画像表示部としての液晶パネル３１、バックライト３２を有する。液晶パネル３１は、透明板１０との間に充填される透明充填材１２を介して透明板１０の背面に当接するように設けられている。液晶パネル３１は、カバー４０に固定されていてもよく、透明充填材１２により透明板１０に接合されていてもよい。バックライト３２は、液晶パネル３１の背面側に設けられ、カバー４０に固定されている。カバー４０は、接着剤１１により透明板１０に接合された支持部材３３により固定支持されている。
【００２０】
本実施形態における透明板１０は、液晶パネル３１の外周縁及び表示装置３０の外周縁（支持部材３３の外周縁）を含む領域に、背面に着色層２０が形成された遮光部２が設けられている。
【００２１】
遮光部２は、透明板１０の背面に着色層２０が形成されて不透明な部分であり、透明板１０の前面側から背面側が見えないように遮蔽する。着色層２０は、例えばセラミック顔料を含む塗料を用いたスクリーン印刷等によって所定の領域に形成される。着色層２０は不透明な層であればよく、例えばインクジェット印刷等の異なる方法により形成されてもよく、不透明なフィルム等が貼合されることで形成されてもよい。
【００２２】
なお、遮光部２は、表示装置３０の液晶パネル３１に対向する領域を除く全面に設けられてもよく、図１に示すように、表示装置３０の周縁部分にのみ設けられてもよい。遮光部２が表示装置３０の周縁部分にのみ設けられる場合には、遮光部２の形状は矩形の枠状に限らず、任意の形状であってもよい。
【００２３】
透明板１０に設けられている遮光部２により、表示装置３０の外周縁及び液晶パネル３１の外周縁が透明板１０の前面側から見えなくなり、表示装置付き透明板１００の意匠性が向上する。さらに、透明板１０の前面から液晶パネル３１の外周縁が見えなくなることで、液晶パネル３１に表示される画像が、透明板１０の前面側に浮き上がって見えるような効果が得られる。
【００２４】
（透明充填材）
透明板１０と表示装置３０との間には、透明充填材１２が充填されている。透明充填材１２は、例えばアクリル系、ウレタン系、シリコン系等の樹脂である。透明充填材１２は、例えば屈折率が、透明板１０の屈折率に対して０．８倍〜１．３倍であることが好ましく、０．９３倍〜１．１２倍であることがより好ましい。
【００２５】
透明板１０と表示装置３０との間に透明充填材１２が充填されることで、表示装置３０の表示部３０ａが透明板１０の背面に写ることがなく、表示装置３０の表示部３０ａに表示される画像の視認性が向上する。
【００２６】
また、透明充填材１２は、硬化性樹脂組成物であってもよい。透明充填材１２が硬化性樹脂組成物である場合には、透明板１０の背面に未硬化の樹脂組成物を塗布して液晶パネル３１を配置した後、樹脂組成物を硬化させることで、液晶パネル３１を透明板１０に接合できる。
【００２７】
透明充填材１２は、２５℃におけるせん断弾性率が、例えば１０３Ｐａ〜１０７Ｐａであることが好ましく、１０４Ｐａ〜１０６Ｐａであることがより好ましい。特に、透明充填材１２の２５℃におけるせん断弾性率が１０４Ｐａ〜１０５Ｐａである場合には、表示装置３０と透明板１０との間に生じ得る空隙を比較的容易に消失させることができる。
【００２８】
透明充填材１２の２５℃におけるせん断弾性率が１０３Ｐａ以上の場合には、塗布された透明充填材１２の形状が維持され易くなる。したがって、塗布された透明充填材１２の厚さが比較的厚い場合であっても、透明充填材１２全体で厚さが均一に維持され、液晶パネル３１と透明充填材１２との界面に空隙が発生し難くなる。
【００２９】
また、透明充填材１２は、２５℃におけるせん断弾性率が１０４Ｐａ以上で変形が抑制され、２５℃におけるせん断弾性率が１０７Ｐａ以下で、表示装置３０と透明板１０との接合密着性が向上する。
【００３０】
透明充填材１２の厚さは、例えば０．０３ｍｍ〜２ｍｍが好ましく、０．１ｍｍ〜０．８ｍｍがより好ましい。透明充填材１２の厚さが０．０３ｍｍ以上であれば、透明板１０の前面から外力等が加わった際に、透明充填材１２が外力による衝撃を十分に低減し、液晶パネル３１を保護できる。また、液晶パネル３１と透明板１０との間に、透明充填材１２の厚さ未満の寸法の異物が混入しても、透明充填材１２の厚さが変化しないため、異物混入による視認性への影響が抑制される。また、液晶パネル３１の視認性が低下するため、透明充填材１２の厚さは２ｍｍ以下であることが好ましい。
【００３１】
（カバー）
表示装置付き透明板１００には、図２及び図３に示すように、表示装置３０の背面を覆うカバー４０が設けられている。なお、図３は、表示装置付き透明板１００を背面から見た斜視図である。
【００３２】
カバー４０は、透明板１０側の一面が開口とされた矩形箱型の形状を有し、例えば表示装置３０の支持部材３３にネジ等により固定され、表示装置３０のバックライト３２との間に、不図示の基板や配線等が収納される。
【００３３】
カバー４０には、図３に示すように、通気孔４１が形成されている。表示装置３０により加熱された空気は、通気孔４１を通ってカバー４０の外部に排出される。したがって、カバー４０の内部に表示装置３０によって加熱された空気が籠もることがなく、カバー４０の内部の温度上昇が抑制される。
【００３４】
本実施形態では、図３に示すように、カバー４０のＹ方向に対向する一対の側面４０ａ，４０ｂのそれぞれに通気孔４１が複数形成されている。図３において、例えばＸ方向が略水平方向に平行になり、Ｙ方向が略鉛直方向に平行となるように表示装置付き透明板１００が設置されると、鉛直方向における上下に通気孔４１が位置し、カバー４０の内部で空気の対流が発生し易くなる。したがって、表示装置３０により加熱された空気が上方の通気孔４１から排出され易くなり、カバー４０の内部の温度上昇がより抑制される。
【００３５】
カバー４０は、例えばアルミニウム、アルミニウム合金等の熱伝導率の高い材料で形成されることが好ましい。このような材料で形成されることで、カバー４０の内部の熱が外部に放出され易くなり、カバー４０の内部の温度上昇がより抑制される。
【００３６】
なお、カバー４０の形状は、本実施形態に例示する構成に限られず、ドーム状等の異なる形状であってもよい。また、カバー４０を透明板１０に固定する支持部材３３は、図２に例示される構成に限られない。例えば透明板１０が窓ガラスである場合には、支持部材３３は、図４に示すように、一端が天井６０に固定され、他端がカバー４０を吊り下げるように支持する構成であってもよい。このように、支持部材３３は、透明板１０が設けられている周囲の建材等に一部が固定され、表示装置３０を固定支持してもよい。
【００３７】
また、通気孔４１の数、位置及び形状は、本実施形態に例示する構成に限られない。通気孔４１は、１つ又は複数であってもよく、側面４０ａ，４０ｂ以外に設けられてもよい。また、通気孔４１の形状は任意の形状であってもよいが、埃等がカバー４０内に入って表示装置３０に付着するのを防ぐため、通気孔４１の短手方向の長さは１ｍｍ以下であることが好ましい。
【００３８】
また、本実施形態では、カバー４０の内部にファン５０が設けられている。ファン５０は、表示装置３０により加熱された空気がカバー４０の内部に籠もらないように、カバー４０の内部の空気を外部に排出する。ファン５０によって、カバー４０の内部の温度上昇が抑制される。なお、ファン５０の設置位置は、本実施形態に例示する構成に限られない。また、ファン５０は、複数設けられてもよい。
【００３９】
以上で説明したように、本実施形態に係る表示装置付き透明板１００は、通気孔４１を備え、表示装置３０の背面を覆うカバー４０が設けられている。表示装置３０により加熱された空気は、カバー４０に設けられている通気孔４１から排出されるため、カバー４０の内部の温度上昇が抑制される。したがって、表示装置３０が高温環境下で使用されることがなく、表示装置３０の動作不良や故障などの発生が防止される。
【００４０】
以上、実施形態に係る表示装置付き透明板について説明したが、本発明は上記実施形態に限定されるものではなく、本発明の範囲内で種々の変形及び改良が可能である。
【符号の説明】
【００４１】
２  遮光部
１０  透明板
１１  透明充填材
１２  接着剤
２０  着色層
３０  表示装置
３１  液晶パネル（画像表示部）
３２  バックライト
３３  支持部材
４０  カバー
４１  通気孔
５０  ファン
１００  表示装置付き透明板
【図１】
2016042119.tif 000003
【図２】
2016042119.tif 000004
【図３】
2016042119.tif 000005
【図４】
2016042119.tif 000006